Podtech/llm-jp-corpus-v4-ja_patent huggingface dataset:
(57)【要約】      （修正有）【課題】貼り絵やちぎり絵では輪郭部分が明瞭に表現できない。ガラス以外の材質でもステンドグラスのような風合いを出したい。【解決手段】基盤に紙紐を接着剤により貼り付け、それを輪郭として形成された後、着色して輪郭の形に合わせた和紙や壁紙を貼り付けする。【選択図】図１
2009097318.tif 000002
【特許請求の範囲】
【請求項１】
基盤に紙紐を接着剤により貼り付け、それを輪郭として形成された後、着色して輪郭の形に合わせた和紙や壁紙を貼り付けする和紙ステンドパネルまたは壁紙ステンドパネル。
【発明の詳細な説明】
【技術分野】
【０００１】本発明は、基盤に紙紐を貼り輪郭として後に和紙や壁紙を貼り付けた和紙ステンドパネルまたは壁紙ステンドパネルである
【発明が解決しようとする課題】
【０００２】貼り絵では輪郭が明瞭に表現できないため、紙紐を用いて輪郭として一般の貼り絵よりも表現を豊かなものを提供しようとするものである。
【課題を解決するための手段】
【０００３】上記課題を解決するため基盤に紙紐を下絵に合わせ、貼り付けを行い輪郭線の着色を行い、その後に和紙または壁紙を輪郭線に沿って貼り付けを行えば貼り絵よりも細かな表現が可能である。
【０００４】例えば龍の鱗の迫力のある様子や草花の繊細な表現が可能である。
【０００５】又、紙紐を貼った後に和紙や壁紙を貼るため、紙紐と基盤の隙間も目立ちにくく、見た目が美しい製品が作成できる。
【発明の効果】
【０００７】本発明によれば、従来は表現不可能な貼り絵の題材でも、繊細でしかも立体感豊かなステンドパネルボードの作成が可能であり、今後の和紙の普及にも期待できる。
【発明を実施するための最良の形態】
【０００８】図に説明する。
【産業上の利用可能性】
【０００９】基盤が建具、襖、屏風、ドアの場合新しい風合いのインテリアとなる。
【図面の簡単な説明】
【００１０】図に一例を示す。
【図１】
【００１１】図１、図２のＡ部分の輪郭線に紙紐を貼りＢ部分の隙間の部分に和紙、壁紙を貼る。
【符号の説明】
Ａは紙紐部分、Ｂは和紙、壁紙に当たる部分である。
【図１】
2009097318.tif 000003
【図２】
2009097318.tif 000004
【手続補正書】
【提出日】平成19年12月9日(2007.12.9)
【手続補正１】
【補正対象書類名】明細書
【補正対象項目名】００１０
【補正方法】変更
【補正の内容】
【００１０】
【図１】実際の加工例を示す。Ａは紙紐、Ｂは和紙または壁紙にあたる
【図２】簡素化した加工例で線と面をわかりやすくしたものである。Ａは紙紐、Ｂは和紙または壁紙にあたる。
(57)【要約】      （修正有）【課題】従来のバネ式のキーホルダー金具は、手軽で簡単であったが近頃のキーは自動車等のキーの様に自動ロック機能が付いた為にキーホルダーに差し込む箇所の巾が太く成り樹脂等で出来ている為に差込にくく成ったり又傷が付いたり最悪無理して差し込むと破損の原因に成ってしまっています。【解決手段】ユーザーが扱い易い様にキーが破損しない様に又工具等を使用しないですむ様に考えた。【選択図】図１
2009097312.tif 000002
【特許請求の範囲】
【請求項１】
キーホルダー金物部品▲３▼に部品▲４▼と部品▲１０▼を差込取付けるその後部品▲１▼を差込部品▲９▼で固定する。その後部品▲２▼を差込部品▲８▼を取付る。その際部品▲１▼がスムーズに回転する事を確認の事。その後部品▲５▼を組込み固定する。最後に部品▲６▼を部品▲７▼で部品▲３▼に取付る。部品▲６▼も自由に回転する事を確認する。
構造上の作動は部品▲４▼を上に手で引き上げる事により▲１０▼の圧縮バネで固定していたロック状態が解除と成り、部品▲１▼の回転が自由と成り、部品▲１▼と部品▲２▼の間に隙間が出来キーを差込む事が出来る様に成る。キーを差込んだ後は、手にて部品▲１▼を回転し元に戻す。その際自動的に部品▲１０▼の圧縮バネの作動により部品▲４▼が下がり部品▲１▼をロックする。
図面はキーホルダー組立図を示す。構成部品は下記番号による。
▲１▼、▲２▼、▲３▼、▲４▼、▲５▼、▲６▼、▲９▼、▲１０▼
【発明の詳細な説明】
【技術分野】
【０００１】  本発明は、キーホルダーの取付金具を巾広く使いやすくした物である。
【背景技術】
【０００２】  キーホルダーの取付金具をボタンにてワンタッチで開閉出来通常時は力を加えない限り外れにくくした。
【発明の開示】
【発明が解決しようとする課題】
【０００３】  従来のキーホルダーに比べ容易に操作できキーを破損したり傷つけたりしない
【発明が解決しようとするための手段】
【０００４】  従来一般的取付金具（バネ式）だとバネを広げながらキーを差し込んで使用する為にキーに傷が付いたり最悪最近の自動車キーはプラッチック割れるなどする事が有ります。注意しながらするときは巾が広い為にドライバー等の様な物を差込ながら作業していますが少し不便さを感じました。バネ式の良い面を残し開発を進めました。
【図面の簡単な説明】
【０００５】
【図１】キーホルダー閉鎖時図面
【図２】キーホルダー開いた時の図面
【符号の説明】
【０００６】▲１▼回転金物
▲２▼固定金物
▲３▼キーホルダー本体
▲４▼引き抜き金物
▲５▼ガイドカラー
▲６▼フック
▲７▼ピン
▲８▼ピン
▲９▼ピン
▲１０▼伸縮物
【図１】
2009097312.tif 000003
【図２】
2009097312.tif 000004
(57)【要約】【課題】      開錠することを困難にした錠前を作る。【解決手段】  光学式で穴を読み取り開錠するようにしたことにより、一致が困難にした。【選択図】図１
2009097315.tif 000002
【特許請求の範囲】
【請求項１】
光学式で鍵を識別する錠前。
【発明の詳細な説明】
【技術分野】
【０００１】  本発明は、鍵に関するものであり、鍵棒の変わりに発光ダイオードとフォトトランジスタの間に置いたシートの穴が一致することにより開錠するようにしたものである。
【背景技術】
【０００２】  従来から、鍵は固体による物であり、絶対に開場できない物は不可能であった。
【発明の開示】
【発明が解決しようとする課題】
【０００３】開錠を絶対に近く出来ないようにすることを課題とする。
【課題を解決するための手段】  この課題を解決するための請求項１の発明はシートの穴を自由に開けることにより穴が一致しなければ開錠できないようにしたものである。
【発明の効果】本発明により、穴の一致を不可能にして、開錠をできないようにできる。
【図１】
2009097315.tif 000003
【手続補正書】
【提出日】平成19年12月18日(2007.12.18)
【手続補正２】
【補正対象書類名】明細書
【補正対象項目名】全文
【補正方法】変更
【補正の内容】
【発明の詳細な説明】
【技術分野】
【０００１】  本発明は、鍵に関するものであり、鍵棒の変わりに発光ダイオードとフォトトランジスタの間に置いたシートの穴が一致することにより開錠するようにしたものである。
【背景技術】
【０００２】  従来から、鍵は固体による物であり、絶対に開場できない物は不可能であった。
【発明の開示】
【発明が解決しようとする課題】
【０００３】開錠を絶対に近く出来ないようにすることを課題とする。
【課題を解決するための手段】  この課題を解決するための請求項１の発明はシートの穴を自由に開けることにより穴が一致しなければ開錠できないようにしたものである。
【発明の効果】本発明により、穴の一致を不可能にして、開錠をできないようにできる。
【発明を実施する最良の形態】
【０００４】図１はシートと発光ダイオードとフォトトランジスタの状態を示したものである。
【０００５】図２は施錠時の状態を示したものである。
【０００６】図３は開錠時の状態を示したものである。
【産業上の利用可能性】
【０００７】
【０００８】本発明により、工業的に量産することが可能であるため、産業上の利用可能性を有する。
【図面の簡単な説明】
【０００９】
【図１】シートと発光ダイオードとフォトトランジスタの状態を示したものである。
【図２】施錠時の状態を示した三面図である。
【図３】開錠時の状態を示した三面図である。
【手続補正３】
【補正対象書類名】図面
【補正対象項目名】全図
【補正方法】変更
【補正の内容】
【図１】
2009097315.tif 000004
【図２】
2009097315.tif 000005
【図３】
2009097315.tif 000006
(57)【要約】      （修正有）【課題】一般住宅などの建築物に使用される床工法に関し、住宅の上階から下の階への振動を抑えることができる防振浮き床工法を提供する。【解決手段】下部にある材料の上に特殊相尺り加工のされたボードを敷き、ジョイントに特殊相尺り加工のされたスティックを差し込み、スティックにフローリング材を固定する。ボードとスティックの特殊相尺り加工により、スティックが空中に浮くことで床下地合板にスティックが直接接しないため、上部の振動が下へ伝わることを防ぐことが出来る防振浮き床工法である。【効果】床仕上げ材から伝わる振動や音を下部にある材料に伝わることを防ぎ、構造体や材料への固体伝播音を防止する事により、防振性及び防音性に優れた床工法を提供することが出来る。【選択図】図２
2009097314.tif 000002
【特許請求の範囲】
【請求項１】
１）木質繊維ボードと木質繊維ボードにフローリング材を固定するために、木質繊維ボードとスティックに、特殊相尺り加工を行い、特殊相尺り加工部分を差し込む。
２）差し込まれた材料が、下部にある材料に接触せず、フローリング材が固定されている。
【発明の詳細な説明】
【技術分野】
【０００１】本件は、住宅などの建築物に使用される床工法に関し、防振性及び防音性に優れた床工法を得ることが出来る防振浮き床工法である。
【背景技術】
【０００２】従来の一般家屋などの建築物に使用される床工法としては図面３に示すように床下地材に直接床仕上げ材を貼り構成されている。【０００３】上記従来の床工法は床仕上げ材が直接床下地材に接している為、上階の床を歩くときに起こる振動や上階での音が下の階へ伝わってしまうという欠点があった。
【発明が解決しようとする課題】
【０００４】本件は、上記従来の床工法の欠点を解決しようとするもので、防振性及び防音性に優れた床工法を提供することができる。
【課題を解決するための手段】
【０００５】すなわち、本件の防振浮き床工法は、床下地材に直接床仕上げ材を貼らず、床下地材の上に木質繊維ボードを敷設し、特殊相尺り加工によって空中に浮いたジョイントとして使われるスティックにフローリング材を固定する為、上階の床を歩くときに起こる振動や上階での音を下の階へ伝わることを防ぐことを特徴としている。
【実施例】
【０００６】以下、図面に基いて、この発明の防振浮き床工法の実施例につき、詳細に説明する。【０００７】図面１においては床構を示し、梁又は根太の上には床下地材が貼られている。４は構造材の梁、３は下の階の天井である。【０００８】床下地の上には木質繊維ボード７が敷かれる。木質繊維ボードのジョイントにはスティック８を取付ける。【０００９】図面２は床下地用合板６及び木質繊維ボード７とジョイントのスティック８の構造を示す拡大断面図である。
木質繊維ボード７とスティック８の特殊相尺り加工により、木質繊維ボード７にスティック８を取付けるとスティック８が空中９に浮く様に構成されている。
【発明の効果】
【００１０】この発明の防振浮き床工法は以上のように床下地材の上にボードを敷設し、木質繊維ボードのジョイントに使われるスティックが床下地材に接していない為、床仕上げ材から伝わる振動や音などを下の階へ伝わることを防ぐ床構造を提供することが出来る。
【図面の簡単な説明】
【図１】この発明の防振浮き床工法の−実例を示す概略断面図である。
【図２】ボード及びスティックの構造を示す拡大断面図である。
【図３】従来例を示す概略断面図である。
【符号の説明】
１    家屋の壁構造
２    家屋の天井裏
３    天井材
４    梁
５    フローリング材
６    床下地材用合板
７    木質繊維ボード
８    スティック
９    空間
１０  フローリング固定材
１１  特殊相尺り加工
【図１】
2009097314.tif 000003
【図２】
2009097314.tif 000004
【図３】
2009097314.tif 000005
(57)【要約】      （修正有）【課題】側溝ふたのブロックは重たくて、しかもブロックの隙間に細かな砂利等が入り込み動かなくなっている、その為に多くのブロックは開閉することが非常に困難となっていてその作業は敬遠されているのが実情です。そこで開閉を必要とした時に、一般家庭や町内会等々で身近に活用できる簡易なかつ利便性の高い道具を提供する。【解決手段】基本的に梃子の原理を利用して行うものですが、狭い空間に金具を挿入しブロックの底に掛けて引き上げ、先端がＬ型になっていて、引き上げの際ブロックを安定させる為に広く底面を支える構成とする。【選択図】なし【特許請求の範囲】
【請求項１】
側溝ふたのコンクリートブロック開閉を、極めて能率的に作業することを可能にした、簡易性、利便性、コンパクト、これらの特徴を持ち合わせた汎用性のある道具であります。
【請求項２】
上記の特徴を可能にした道具について説明します。
（以下説明の中で鍵棒とは、上部が丸い輪の形をして下部先端がＬ型となっており、その上部の輪の中に横棒を通して２本吊り下がっている状態の物です）。
鍵棒は先端をＬ型に曲げてありますから横（平行）にしないとブロック間の狭い空間に入れることはできません、しかも２本同時ですので横幅の制約もあります。
そこで横幅の問題は、輪の中に横棒を通して左右に動くようにしたことで、幅を詰めて、ブロックの底に通すことが出来ました。
狭い空間を抜けて鍵棒が自由に動く様になったら、鍵棒のＬ型部分をブロックに対して直角にしてブロックの底に掛けます。
次に問題なのは、２本の鍵棒を横に広げてブロックの重量を左右バランスよく受け止めなくてはなりません。
この問題もやはり横棒により２本の鍵棒が自在に動ける事により解決することが出来ました。
この２つの問題を、鍵棒の輪に横棒を通すことで巧みに解決し、ブロックの狭い空間を活用して十分に力を発揮することが出来る道具として成り立ちました。
【発明の詳細な説明】
【技術分野】    本発明は、側溝ふたのコンクリートブロックの重量物を梃子の原理を利用して、２人一組となって開閉できる、軽量コンパクトしかも汎用性に優れた道具であります。
【背景技術】１    側溝ふたのブロックは重くて厚くしかも隙間がないので、開閉する作業は極めて大変であります。このブロックを安全に持ち上げるには、ブロック間の狭い隙間にブロックの底を支える道具を差し入れて引き上げる必要があります、しかも安定を図る為にはなるべく幅広くブロックの底を支えなくてはなりません、この２つの相反する問題を同時に解決できた事が最大のポイントです。
２    鍵棒（上部が丸い輪の形をして下部の先端がＬ型をした金具のこと以下同じ）の上部の輪の中に横棒を通してして２本並べて左右に自在に動かせるようにしたことが、ブロック間の狭い隙間に２本の鍵棒を挿入することを可能としました。
具体的には、まず鍵棒２本を寄せ合わせて幅を詰めます、次にブロックの隙間に横向（平行）にして挿入し、底に抜けたらＬ型部分を直角にブロックの底に掛けて、同時に左右に幅を拡げます、このことによりブロックの重量がバランスよく掛かることになり、引き上げる際ブロックの安定を確保することが出来ました。
３    実際の作業においては、２人１組として行います、当然道具も左右２つ必要となります、梃子の原理を利用して行う仕事ですから、梃子、枕木等付帯する道具も必用となります。
梃子×２（バール・鉄棒・丈夫な木の棒等  太さ２．５〜３ｃｍ位  長さ５０〜１００ｃｍ位  任意）
枕木×２（角材・丸材・ブロック等  高さ８〜１０ｃｍ位  硬くて安定した物  任意）
Ａ    上記２の項で説明した作業後、梃子を活用してブロックを引き上げますが、まず固くて動かなくなっているブロックを梃子の力により慎重に動かし、軽く動くようになったことを確認します。
Ｂ    次に引き上げ作業にかかります、梃子の原理を逆に活用します。
注意するのは鍵棒のＬ型部分がブロックの底にしっかり掛かっているかを確認して、道具の支点を利用して梃子をブロックの表面に強く押し当て鍵棒と梃子でブロックを強く挟みつけます。
今度は梃子が取っ手の働きをしますので、そのまま慎重にブロックを持ち上げてはずします。
Ｃ    はずしたブロックを置く時には、角材か厚い板状の物の上に置く必要があります、直接地面の上に置くとブロックの底に掛かっているＬ型金具が挟まってしまうことになります、ブロックを戻す時にもブロックの底に隙間がないとＬ型金具を掛けるときに大変になりますから注意が必要です。
【発明の開示】
【発明が解決しようとする課題】  側溝ふたのコンクリートブロック開閉作業は、一般的にはバールを使用して作業をしますが、引き上げるまでには大変ですしかもブロックも傷つけます、また大掛かりな専用工具を使っての作業を目にすることはあるが一般的ではありません、特に最近のブロックは隙間が大変狭く設計されているので開閉作業はより大変になっております。
身近な道具として各家庭に備えられ、家の周りの側溝ふたのブロックを開閉できる簡易でコンパクトで利便性のある、いわゆる汎用性のある道具がないのが実情であります。
【課題を解決するための手段】
【発明の効果】  この道具は、簡易性、利便性、収納性（コンパク）の特性を持ち、家庭の身近な備品としての利用価値はきわめて高いと考えます。
側溝に物を落とした時すぐに拾いたい、側溝に泥が溜まり水の流れが悪くなった時などいつでも掃除がしたい。
このような時、容易に作業が出来る道具があれば大変助かります。
仮に溝の清潔を保ちボウフラの発生を未然に防ぐことが出来れば、衛生面からの効果も期待されます。
更に大きな観点から大雨や集中豪雨の際溝がきれいに掃除されていれば、水の流れも良くたとえ被害が出るとしても被災までの時間を稼げる可能性も考えたいのであります。
【発明を実施するための最良の形態】  現在試作品を作成して、道具としての能力の高さを実体験したところでありますが、一般的に普及を計るには個人の力ではいかようにもなりません。
やはり、この利便性を広く多くの人に活用していただく為には、しっかりした工業製品として操作性と安全性を確立していく必要があります。
役に立つ道具として家庭、事業所、会社、役所、学校、町内会等々広く普及されることが最良の形態と考えます。
(57)【要約】【課題】居住室内空間に於いて、花粉飛来時季に常に花粉の侵入する事が無く快適に生活する事のできる、二重空間による花粉侵入防止室を提供する。【解決手段】既存の居住室内（１）の天井部より支持（２）された簡易空間（３）簡易空間（３）に入室する入室口（４）簡易空間（３）の天井部に設けられた空気吹き出し口（５）下部に設けられた排気口（６）簡易空間（３）内に、花粉を除去する濾過フィルター（７）を通して空気を送り込む送風機（８）を設けた二重空間による花粉進入防止室を特徴とする。【選択図】図１
2009097845.tif 000002
【特許請求の範囲】
【請求項１】
（イ）既存の居住室内（１）の、天上部より支持（２）された簡易空間（３）を設ける。
（ロ）簡易空間（３）内への、入室口（４）を設ける。
（ハ）簡易空間（３）の天上部に空気吹き出し口（５）を設け、下部に排気口（６）を設ける。
（ニ）簡易空間（３）内の空気は濾過フィルター（７）をとうして送風機（８）により簡易空間（３）内へ送り込まれる。
（ホ）簡易空間（３）内は流入風量と排気風量が任意に調整され、簡易空間（３）内を陽圧にする。
以上の構成よりなる二重空間による花粉進入防止室。
【発明の詳細な説明】
【技術分野】
【０００１】この発明は、花粉の飛来時季に既存の居住室内スペース内に、簡易的に隔離された空間を既存の居住室内に設置し、居住室内を二重の空間にする事により、簡易的に設置された空間内に花粉の侵入を防ぎ快適に生活する事の出来る構造の、二重空間による花粉侵入防止室に関するものである。
【背景技術】
【０００２】従来、既存の居住室内に於いて、花粉の進入防止措置や吸引防止措置を講じるにあたり、大変大掛かりな建物の気密構造の改装や、大変高価な空調設備システムの導入に頼らざるに終えなかった。
【発明の開示】
【発明が解決しようとする課題】
【０００３】これは、次のような欠点があった。
従来、居住室内での日常生活に於いて窓や扉の開閉を行う事により、完全に花粉の侵入を防ぐ事はできなかった。
本発明は、以上のような欠点をなくすためになされたものである。
【課題を解決するための手段】
【０００４】既存の居住室内（１）の天井部分より支持（２）された簡易空間（３）簡易空間（３）に入室する入室口（４）簡易空間（３）の天井部に設けられた空気吹き出し口（５）下部に設けられた排気口（６）簡易空間（３）内に花粉を除去する濾過フィルター（７）を通して空気を送り込む送風機（８）を設ける。
本発明は、以上の構成よりなる二重空間による花粉侵入防止室である。
【発明の効果】
【０００５】花粉の飛来時季に既存の居住室内スペース内に、隔離された空間を簡易的に設け、既存の居住室内と簡易空間を分け、簡易空間には花粉の除去された空気を強制的に送り込み圧力差圧を調整する事により、簡易空間内を陽圧力の空間にすることにより、外部からの花粉の浮遊進入を防ぎ簡易空間内には日常生活による窓や扉の開閉による、花粉の侵入の影響をなくす事ができる。
【本発明の実施するための最良の形態】
【０００６】以下、本発明を実施するための最良の形態について説明する。
花粉の飛来時季に、既存の居住室内（１）スペース内に、設置解体の易な簡易空間（３）を設置し二重の空間を造りだす。
既存の居住室内（１）の天井部分から簡易空間（３）の天井部のシートを支持（２）する。
簡易空間（３）の材質は、軽量で尚且つ安全にも考慮し、難燃材で帯電防止の施された素材で造られており、透明で既存の居住室内（１）の照度や質感を損なう事がない。
簡易空間（３）内への入室は入室口（４）より入室する。
簡易空間（３）の天上部には、空気吹き出し口（５）が備えられ、簡易空間（３）内の天上部から床面排気口（６）へと吹き降ろし気流を形成し花粉浮遊を抑制する。
空気吹き出し口（５）の空気は、花粉の侵入を防止し除去する為に装着された濾過フィルター（７）が備えられ、濾過フィルター（７）を通して送風機（８）により、簡易空間（３）内へ強制的に空気が圧送される。
簡易空間（３）内は、空気吹き出し口（５）の流入風量と排気口（６）の排気風量を任意に調整する事ができ、陽圧力の状態をつくりだし既存の居住室内（１）との圧力差により、外部及び既存の居住室内（１）からの花粉の侵入を防止する事ができる。
本発明は、以上のような構造でこれを使用するときは、花粉飛来時季において快適に生活する事ができる。
【図面の簡単な説明】
【０００７】
【図１】本発明の断面図である。
【符号の説明】
【０００８】１既存の居住室内
２支持部
３簡易空間
４入室口
５空気吹き出し口
６排気口
７濾過フィルター
８送風機
【図１】
2009097845.tif 000003
(57)【要約】【課題】  蒸気供給管から供給される蒸気を減温して過熱蒸気から飽和蒸気へ変換してから供給すると共に、一部の蒸気を熱交換器へ循環させることのできる熱交換装置を提供する。【解決手段】 熱交換器１に蒸気供給管２と流体排出管３を接続する。蒸気供給管２に制御弁７と蒸気流量計８、及び、減温器２０とを取り付ける。流体排出管３を分岐して復水排出管１１と循環管路１２を接続する。復水排出管１１には蒸気トラップ１０を取り付ける。一方、循環管路１２には気液分離器５と電動式の蒸気循環手段４と蒸気流量計１４を介在させて蒸気供給管２と接続する。  蒸気供給管２から熱交換器１へ供給された蒸気は、減温器２０を通過する間に減温されて飽和蒸気となることによって、熱交換器１内での熱交換効率を向上して総括伝熱係数も高くすることができる。【選択図】 図１
2009097747.tif 000002
【特許請求の範囲】
【請求項１】
熱交換器に蒸気供給管と流体排出管を接続して、当該蒸気供給管から供給した蒸気でもって熱交換を行い、熱交換によって蒸気が凝縮した復水を流体排出管から外部へ排出すると共に、一部の蒸気を流体排出管を介して熱交換器へ循環するものにおいて、蒸気供給管を通過する蒸気を減温する減温器を取り付けたことを特徴とする熱交換装置。
【発明の詳細な説明】
【技術分野】
【０００１】
本発明は、蒸気を熱源として、熱交換器内で被加熱物を加熱する熱交換装置に関する。
【背景技術】
【０００２】
熱交換装置は、熱交換器に蒸気供給管と流体排出管を接続して、熱交換器で熱交換によって蒸気の凝縮した復水を流体排出管から外部へ排出すると共に、流体排出管を介して蒸気エゼクタによって一部の蒸気を熱交換器へ再度循環させるものである。
【０００３】
この熱交換装置においては、蒸気供給管から供給される蒸気が過熱蒸気である場合に、熱交換効率が低下してしまい、総括伝熱係数も低くなってしまう問題点があった。
【特許文献１】特開平２−２１３６０１号公報
【発明の開示】
【発明が解決しようとする課題】
【０００４】
解決しようとする課題は、蒸気供給管から供給される蒸気を減温して過熱蒸気から飽和蒸気へ変換してから供給すると共に、一部の蒸気を熱交換器へ循環させることのできる熱交換装置を提供することである。
【課題を解決するための手段】
【０００５】
本発明は、熱交換器に蒸気供給管と流体排出管を接続して、当該蒸気供給管から供給した蒸気でもって熱交換を行い、熱交換によって蒸気が凝縮した復水を流体排出管から外部へ排出すると共に、一部の蒸気を流体排出管を介して熱交換器へ循環するものにおいて、蒸気供給管を通過する蒸気を減温する減温器を取り付けたものである。
【発明の効果】
【０００６】
本発明の熱交換装置は、蒸気供給管に減温器を取り付けたことによって、蒸気供給管から供給される過熱蒸気を減温して飽和蒸気とすることができ、熱交換効率を向上して総括伝熱係数も高くすることができる。
【発明を実施するための最良の形態】
【０００７】
本発明は、蒸気供給管に減温器を取り付けるものであるが、この減温器としては、通過する過熱蒸気と例えば冷却水が間接的に熱交換して、過熱蒸気を飽和蒸気まで減温することができるものが適する。
【実施例１】
【０００８】
図１は、本発明の１実施例の構成図であって、熱交換器１と蒸気供給管２と流体排出管３と蒸気循環手段４、及び、減温器２０とで熱交換装置を構成する。
【０００９】
熱交換器１へ加熱用の蒸気を供給する蒸気供給管２は、蒸気の供給量を制御するための制御弁７と、供給される蒸気量を計測する蒸気流量計８と、減温器２０、及び、供給される蒸気の圧力を検出する圧力センサ６を介在して、熱交換器１の入口９と接続する。
【００１０】
減温器２０は、蒸気供給管２内を通過する過熱蒸気に冷却水を間接的に接触させることによって、飽和蒸気まで減温することができるものである。
【００１１】
蒸気供給管２から熱交換器１内へ供給される蒸気の一部は、図示しない被加熱物を加熱して凝縮することによって復水となり、この復水と一部の蒸気の混合流体が流体排出管３内を流下する。
【００１２】
流体排出管３を分岐して一方に蒸気トラップ１０を取り付けて復水排出管１１とし、他方に気液分離器５と電動式の蒸気循環手段４と蒸気流量計１４を取り付けて循環管路１２とする。循環管路１２の上端は、減温器２０の出口側の蒸気供給管２と接続する。また、循環管路１２には循環する蒸気量を制御する制御弁１３を取り付ける。
【００１３】
気液分離器５は、蒸気と復水の質量の差を利用して両者を分離し、内蔵した蒸気トラップから分離した復水だけを外部へ排出することができるものである。また、電動式の蒸気循環手段４は、本実施例においては電動モータ１５と蒸気ブロワー１６を組み合わせたものを用いた例を示す。すなわち、蒸気ブロワー１６の回転によって、循環管路１２内の蒸気を流量計１４を介して蒸気供給管２へ供給することができるものである。
【００１４】
流体排出管３を流下する復水と蒸気の混合流体の一部は、復水排出管１１から蒸気トラップ１０へ至り復水だけが外部へ排出され、混合流体の残りは循環管路１２から気液分離器５を流下する間に蒸気と復水が分離され、分離された復水は気液分離器５内に設けた蒸気トラップから外部へ排出されると共に、復水の分離された蒸気だけが電動式の蒸気循環手段４へ吸引され、更に蒸気流量計１４を通過して蒸気供給管２の蒸気と混合されて熱交換器１へ供給される。
【００１５】
このように、熱交換器１内の一部の蒸気を循環管路１２を介して強制的に循環させることによって、熱交換器１内での加熱蒸気から被加熱物への熱伝達が促進され、被加熱物を効率良く加熱することができる。例えば、復水排出管１１と蒸気トラップ１０を介して復水だけを外部へ排出する場合と比較して、循環管路１２から一部の蒸気を強制循環させる場合の方が、総括伝熱係数を１．５倍から３倍程度高めることができる。
【００１６】
本実施例においては、蒸気供給管２から熱交換器１へ供給する蒸気を、減温器２０によって減温して飽和蒸気とすることができ、熱交換効率を向上して総括伝熱係数も高くすることができる。
【図面の簡単な説明】
【００１７】
【図１】本発明の熱交換装置の実施例を示す構成図。
【符号の説明】
【００１８】
１  熱交換器
２  蒸気供給管
３  流体排出管
４  蒸気循環手段
５  気液分離器
７  制御弁
８  蒸気流量計
１１  復水排出管
１２  循環管路
１４  蒸気流量計
１５  電動モータ
１６  蒸気ブロワー
２０  減温器
【図１】
2009097747.tif 000003
(57)【要約】【課題】  蒸気トラップから排出される復水の再蒸発蒸気を、廃棄することなく有効に活用することのできることのできる蒸気トラップの消湯気器を提供する。【解決手段】 蒸気配管２にベンチュリ管４を接続する。蒸気配管２を分岐した分岐管５を蒸気トラップ１の入口側に接続する。蒸気トラップ１の出口側に連通管３と復水溜め部６を接続する。復水溜め部６とベンチュリ管４の喉部７を接続管８で接続する。復水溜め部６の下部に絞り弁９と復水排出管１０を接続する。  蒸気トラップ１から排出される復水は、復水溜め部６で再蒸発して再蒸発蒸気となり、ベンチュリ管４の喉部７に吸引されて、蒸気供給管１１から別途の蒸気利用箇所へと供給されて有効活用される。【選択図】 図１
2009097560.tif 000002
【特許請求の範囲】
【請求項１】
蒸気トラップの出口側に取り付けて、蒸気トラップから排出されるモヤモヤとした復水の再蒸発蒸気を低減するものにおいて、蒸気トラップの出口と連通した連通管にベンチュリ管の喉部を接続して、当該ベンチュリ管に駆動流体供給管を接続したことを特徴とする蒸気トラップの消湯気器。
【発明の詳細な説明】
【技術分野】
【０００１】
本発明は、蒸気トラップから排出される高温復水が大気中で再蒸発することにより発生するモヤモヤとした再蒸発蒸気を低減する蒸気トラップの消湯気器に関する。
【背景技術】
【０００２】
蒸気トラップは、蒸気配管中で発生した凝縮水としての復水だけを外部へ自動的に排出するが、蒸気は外部へ排出することのない自動弁の一種である。蒸気トラップが復水を排出する場合は、排出される復水が通常は高温状態であるために、大気中へ復水が排出されると再蒸発して、その再蒸発した再蒸発蒸気がモヤモヤと立ち昇り、本来排出することのない蒸気を排出しているものと見間違うケースが多々あった。このようなケースを無くすために、蒸気トラップの消湯気器が用いられてきた。
【０００３】
従来の消湯気器においては、再蒸発蒸気を冷却流体と混合して系外へ排出してしまうために、再蒸発蒸気を有効に活用できない問題点があった。
【特許文献１】特開２００５−１２１０６４号公報
【発明の開示】
【発明が解決しようとする課題】
【０００４】
解決しようとする課題は、蒸気トラップから排出される復水の再蒸発蒸気を、廃棄することなく有効に活用することのできる蒸気トラップの消湯気器を提供することである。
【課題を解決するための手段】
【０００５】
本発明は、蒸気トラップの出口側に取り付けて、蒸気トラップから排出されるモヤモヤとした復水の再蒸発蒸気を低減するものにおいて、蒸気トラップの出口と連通した連通管にベンチュリ管の喉部を接続して、当該ベンチュリ管に駆動流体供給管を接続したものである。
【発明の効果】
【０００６】
本発明の蒸気トラップの消湯気器は、蒸気トラップの出口側に連通管を介してベンチュリ管の喉部を接続して、このベンチュリ管に駆動流体供給管を接続したことによって、ベンチュリ管へ駆動流体が供給されて喉部で吸引力を発生して、連通管内部で発生した再蒸発蒸気を喉部へ吸引して、別途の蒸気利用箇所へ供給することにより、再蒸発蒸気の有効活用を図ることができる。
【発明を実施するための最良の形態】
【０００７】
本発明は、蒸気トラップの出口側に連通管を介してベンチュリ管の喉部を接続したものであるが、連通管の一部に復水溜め部を形成することによって、復水からの再蒸発蒸気の量を増加させることができる。
【実施例１】
【０００８】
図１は本発明の実施例１の構成図であって、高温高圧の蒸気が左側から右側へ流下する蒸気配管２と、蒸気配管２を分岐した分岐管５に接続した蒸気トラップ１と、蒸気トラップ１の出口側に連通した連通管３と、連通管３の一部を構成する復水溜め部６、及び、復水溜め部６の上部に接続したベンチュリ管４とで蒸気トラップの消湯気器を構成する。
【０００９】
蒸気配管２内部で放熱により発生した復水が、分岐管５を通って蒸気トラップ１内へ流下するものである。蒸気トラップ１の出口側に連通管３を接続する。連通管３は、本実施例においては、途中に連通管３の管径より大きな直径を有する復水溜め部６と接続する。復水溜め部６の上部に接続管８を介してベンチュリ管４の喉部７と接続すると共に、復水溜め部６の下部には、通過面積を調節することのできる絞り弁９を介在して復水排出管１０を接続する。
【００１０】
ベンチュリ管４の入口側には、駆動流体供給管としての高温高圧の蒸気配管２を接続し、一方、ベンチュリ管４の出口側には、喉部６で混合した再蒸発蒸気と高温高圧蒸気の混合蒸気を別途の蒸気使用箇所へ供給する蒸気供給管１１を接続する。
【００１１】
蒸気トラップ１へ流下した復水と蒸気の混合流体の内、復水だけが蒸気トラップ１から排出されて連通管３を通って復水溜め部６へ流入する。復水溜め部６の下部に取り付けた絞り弁９により、その通過面積を絞ることによって復水溜め部６へより多くの復水が溜まる。復水溜め部６に溜まった復水は、いまだ高温状態であるために盛んに再蒸発を行って再蒸発蒸気となる。再蒸発蒸気とならなかった低温復水は、絞り弁９と復水排出管１０を通って系外へ排出される。
【００１２】
一方、ベンチュリ管４の喉部７においては、ベルヌーイの定理に従って流下する流体の速度が速くなるに連れて吸引力も強くなるために、高温高圧の高速蒸気を流下させることによって、大きな吸引力を発生して、復水溜め部６で発生した再蒸発蒸気を確実に吸引することができる。
【００１３】
ベンチュリ管４内で高温高圧蒸気と混合された再蒸発蒸気は、蒸気供給管１１から図示しない別途の蒸気使用箇所へと供給されて有効活用される。
【図面の簡単な説明】
【００１４】
【図１】本発明に係る蒸気トラップの消湯気器の実施例を示す構成図。
【符号の説明】
【００１５】
１  蒸気トラップ
２  蒸気配管
３  連通管
４  ベンチュリ管
５  分岐管
６  復水溜め部
７  喉部
８  接続管
９  絞り弁
１０  復水排出管
１１  蒸気供給管
【図１】
2009097560.tif 000003
(57)【要約】【課題】液体中に含まれる鉄さびやスケール等の異物が弁室内に流入しにくいエアートラップを提供する。【解決手段】 凝縮水水供給管１を異物分離タンク２の右槽の底部まで挿入して接続する。異物分離タンク２に、しきり板４により左右両槽を設けると共に、上部にオーバーフロー部５を形成する。異物分離タンク２の左槽を、連通管１１によって、エアートラップ３の入口１０と連通する。エアートラップ３の下端に出口１２を設けると共に、上部左側に均圧工１３を設ける。  凝縮水供給管１から異物分離タンク２内へ供給される凝縮水に混入している鉄さび等の異物は、タンク２の左右両槽の底部に沈殿することによって、エアートラップ３へ流下することがない。【選択図】 図１
2009097562.tif 000002
【特許請求の範囲】
【請求項１】
圧縮空気系に取り付けて、圧縮空気は外部へ排出することがなく、圧縮空気中に混入した凝縮水だけを自動的に外部へ排出するエアートラップにおいて、エアートラップの入口側に、液体中の異物を分離する異物分離タンクを配置したことを特徴とする異物分離タンク付のエアートラップ。
【発明の詳細な説明】
【技術分野】
【０００１】
本発明は、圧縮空気中に混入した凝縮水を外部へ排出するエアートラップに関する。
【背景技術】
【０００２】
従来のエアートラップは、弁室に弁口を形成し、入口から弁室へ流入した凝縮水の水位に応じて浮上降下するフロートを自由状態で弁室内に配置することによって、弁口を開閉弁して、凝縮水だけを外部へ自動的に排出するものである。
【０００３】
上記従来のエアートラップは、凝縮水の入口から凝縮水が直接に弁室内へ流入するために、凝縮水中に混入した鉄さびやスケール等の異物が弁室内へ流入し易くなり、弁室内の機械的な摺動部に付着して、エアートラップとしての作動不良を来たす問題があった。
【特許文献１】実開平２−１３４３９９
【発明の開示】
【発明が解決しようとする課題】
【０００４】
解決しようとする課題は、凝縮水中に含まれる鉄さびやスケール等の異物が弁室中に流入しにくいエアートラップを提供することである。
【課題を解決するための手段】
【０００５】
本発明は、圧縮空気系に取り付けて、圧縮空気は外部へ排出することがなく、圧縮空気中に混入した凝縮水だけを自動的に外部へ排出するエアートラップにおいて、エアートラップの入口側に、液体中の異物を分離する異物分離タンクを配置したものである。
【発明の効果】
【０００６】
本発明のエアートラップは、入口側に液体中の異物を分離する異物分離タンクを配置したことにより、この異物分離タンクで異物を分離して、異物の混入していないきれいな液体だけを入口から弁室内へ供給することができる。そのため、弁室内で鉄さびやスケール等の異物に起因する作動不良を起こしにくいという優れた効果を生じる。
【発明を実施するための最良の形態】
【０００７】
本発明は、液体中の異物を分離する異物分離タンクを配置するものであるが、異物分離タンクとしては、タンクの上部にオーバーフロー部を介して縦方向に２槽を形成して、１槽に凝縮水を供給すると共に、オーバーフロー部を通って他槽へ流下した凝縮水を入口から弁室内へ供給するものが適する。
【実施例１】
【０００８】
本実施例においては、図示しない圧縮空気使用装置で発生した凝縮水を、凝縮水供給管１から異物分離タンク２へ供給して、異物の除去されたきれいな凝縮水だけをエアートラップ３へ流下させる、異物分離タンク付のエアートラップの例を示す。
【０００９】
異物分離タンク２は、円筒状タンクで内部中央にしきり板４を取り付けて左右２槽に分離槽を設ける。しきり板４の上部にオーバーフロー部５を設ける。タンク２の右槽に凝縮水供給管１を底部まで挿入して接続する。凝縮水供給管１の上端は図示しない圧縮空気使用装置と接続する。圧縮空気使用装置で発生した凝縮水が、凝縮水供給管１から異物分離タンク２の右槽内へ流入し、その水位がしきり板４の上端を越えると、オーバーフロー部５から左槽へ流入するものである。
【００１０】
異物分離タンク２の左右両槽の下端には、それぞれ、異物ブロー管６，７を接続する。異物ブロー管６，７にはそれぞれ開閉弁８，９を取り付けて、この開閉弁８，９を開弁することによって、タンク２底部に溜った鉄さびやスケール等の異物を外部へ排除することができるものである。
【００１１】
タンク２の左槽の中段に、エアートラップ３の入口１０と連通する連通管１１を取り付ける。エアートラップ３は、入口１０と出口１２、及び、均圧口１３を連通管１９により異物分離タンク２の上部と連通して構成する。
【００１２】
エアートラップ３は、弁室内の凝縮水の水位が低くて内部に配置した図示しないフロートが下部に位置する場合に弁口を閉弁して圧縮空気の外部への漏洩を防止し、一方、凝縮水の水位が上昇するとフロートも上昇して弁口を開弁して、凝縮水を外部へ排出することができるものである。
【００１３】
凝縮水供給管１から異物分離タンク２内へ供給される凝縮水に混入している鉄さびやスケール等の異物は、異物分離タンク２の左右両槽の底部に沈殿することによって、連通管１１からエアートラップ３内へ流入することがない。
【図面の簡単な説明】
【００１４】
【図１】本発明に係る異物分離タンク付のエアートラップの実施例を示す構成図。
【符号の説明】
【００１５】
１  凝縮水供給管
２  異物分離タンク
３  エアートラップ
４  しきり板
５  オーバーフロー部
１０  入口
１１  連通管
１２  出口
１３  均圧口
【図１】
2009097562.tif 000003
(57)【要約】【課題】  弁部材が弁座部材側に吸い寄せられ難くして排出容量の大きな熱応動式スチームトラップを提供する。【解決手段】  本体１と蓋部材５から成るケーシングで入口２と弁室４と出口３を形成する。弁室３を出口４側に連通する弁孔６を有する弁座部材７を弁室４と出口５との間に配置する。壁部材１０とダイヤフラム部材１３と両部材の間に密封した膨脹媒体１４とダイヤフラム部材１３の弁座部材７側に連結した弁部材１５とから成る温度制御機素８を弁室４内に配置する。弁部材１５を開弁方向に付勢する弾性部材としてのコイルスプリング２２を弁部材１３と弁座部材７との間に配置する。【選択図】      図１
2009097574.tif 000002
【特許請求の範囲】
【請求項１】
ケーシングで入口と弁室と出口を形成し、弁室を出口側に連通する弁孔を有する弁座部材を弁室と出口との間に配置し、壁部材とダイヤフラム部材と両部材の間に密封した膨脹媒体とダイヤフラム部材の弁座部材側に連結した弁部材とから成る温度制御機素を弁室内に配置し、膨張媒体の膨張収縮によるダイヤフラム部材の変位により弁部材を駆動して弁孔を開閉するものにおいて、弁部材を開弁方向に付勢する弾性部材を設けたことを特徴とする熱応動式スチームトラップ。
【発明の詳細な説明】
【技術分野】
【０００１】
本発明は、加熱されて膨脹し冷却されて収縮する媒体を含む温度制御機素を用いて、各種蒸気使用機器や蒸気配管で発生する復水を自動的に排出する熱応動式スチームトラップに関し、特に、排出容量を大きくできるものに関する。
【背景技術】
【０００２】
従来の熱応動式スチームトラップを特開平６−１２９５９８号公報を参照して説明する。これは、ケーシングで入口と弁室と出口を形成し、弁室を出口側に連通する弁孔を有する弁座部材を弁室と出口との間に配置し、壁部材とダイヤフラム部材と両部材の間に密封した膨脹媒体とダイヤフラム部材の弁座部材側に連結した弁部材とから成る温度制御機素を弁室内に配置し、膨張媒体の膨張収縮によるダイヤフラム部材の変位により弁部材を駆動して弁孔を開閉するものである。
【０００３】
上記従来の熱応動式スチームトラップは、排出容量が小さい問題があった。これは、弁部材が弁座部材から離座して弁孔を開けている開弁時において、弁部材と弁座部材の間を高速に流下する排出流体によって弁部材が弁座部材側へ吸い寄せられるためである。この現象は入口側と出口側の圧力差が大きくなる程顕著である。これは、本来圧力差が大きくなる程排出容量も大きくなるのであるが、弁部材と弁座部材の間を流れる排出流体の流速も速くなるためである。
【特許文献１】特開平６−１２９５９８号公報
【発明の開示】
【発明が解決しようとする課題】
【０００４】
解決しようとする課題は、弁部材が弁座部材側に吸い寄せられ難くして排出容量の大きな熱応動式スチームトラップを提供することである。
【課題を解決するための手段】
【０００５】
本発明の熱応動式スチームトラップは、ケーシングで入口と弁室と出口を形成し、弁室を出口側に連通する弁孔を有する弁座部材を弁室と出口との間に配置し、壁部材とダイヤフラム部材と両部材の間に密封した膨脹媒体とダイヤフラム部材の弁座部材側に連結した弁部材とから成る温度制御機素を弁室内に配置し、膨張媒体の膨張収縮によるダイヤフラム部材の変位により弁部材を駆動して弁孔を開閉するものにおいて、弁部材を開弁方向に付勢する弾性部材を設けたことを特徴とする。
【発明の効果】
【０００６】
本発明は、弁部材を弾性部材で開弁方向に付勢することにより、弁部材が弁座部材側へ吸い寄せられる力を小さくして排出容量を大きくすることができるという優れた効果を生じる。
【発明を実施するための最良の形態】
【０００７】
本発明の熱応動式スチームトラップは、弁部材を開弁方向に付勢する弾性部材を設けたものである。そのため、弾性部材の付勢力を弁部材が弁座部材側へ吸い寄せられる力に対向させることができ、弁部材が弁座部材側へ吸い寄せられる力を小さくすることができる。そのため、排出容量を大きくすることができる。
【実施例１】
【０００８】
上記の技術的手段の具体例を示す実施例を説明する（図１参照）。本体１には同一軸上に入口２と出口３が形成され、この入口２及び出口３と連通する弁室４が本体１にねじ結合された蓋部材５によって形成される。本体１と蓋部材５でケーシングが形成される。出口３の弁室４側開口端に、弁室４と出口３とを連通する弁孔６が形成された弁座部材７がねじ結合されている。
【０００９】
弁座部材７の上方に、温度制御機素８が配置される。温度制御機素８は、注入口９を有する壁部材１０と、注入口９を密封する栓部材１１と、壁部材１０との間に収容室１２を形成するダイヤフラム部材１３と、収容室１２に密封される膨脹媒体１４と、ダイヤフラム部材１３に固着され弁座部材７に離着座して弁孔６を開閉する弁部材１５と、ダイヤフラム部材１３の外周縁を壁部材１０との間に挟んで固着する下壁部材１６と、弁部材１５と弁座部材７との間に配され弁部材１５を開弁方向に付勢する弾性部材としてのコイルスプリング２２と、から形成される。膨脹媒体１４は、水、水より沸点の低い液体、あるいはそれらの混合物で形成される。
【００１０】
温度制御機素８は、本体１と弁座部材７との間に挟んで固定された有底円筒形状の取付部材１７内に収容され、蓋部材５と温度制御機素８の間に配置されたコイルスプリング１８の付勢力によって取付部材１７の段部１９に下壁部材１６の外周下面が当接保持される。取付部材１７には、底壁に流体通過孔２０と周壁に３つの流体通過窓２１が開けられている。
【００１１】
本実施例での作動は下記の通りである。始動時、弁室４内は低温であり、膨脹媒体１４は収縮し、ダイヤフラム部材１３が入口２側の流体圧力とコイルスプリング２２の開弁方向への付勢力により上方に変位し、弁部材１５が弁座部材７から離座して弁孔６を開口している。これによって入口２から流入する低温の復水や空気を弁孔６から出口３へ排出する。弁部材１５は弁部材１５と弁座部材７の間を高速に流下する低温排出流体によって弁座部材７側へ吸い寄せられる力を受けるが、コイルスプリング２２の開弁方向への付勢力により弁座部材７側へ吸い寄せられる力を小さくすることができ、排出容量を大きくすることができる。低温流体の排出によって入口２から流入する流体温度が上昇し、弁室４内が所定温度以上になると、膨脹媒体１４は膨脹し、ダイヤフラム部材１３が入口２側の流体圧力とコイルスプリング２２の開弁方向への付勢力に抗して下方に変位し、弁部材１５が弁座部材７に着座して弁孔６を閉止する。これによって蒸気の漏出を防止する。放熱によって弁室４内が所定温度以下になると、膨脹媒体１４は収縮し、ダイヤフラム部材１３が入口２側の流体圧力とコイルスプリング２２の開弁方向への付勢力により上方に変位し、弁部材１５が弁座部材７から離座して弁孔６を開口する。
【図面の簡単な説明】
【００１２】
【図１】本発明の実施例の熱応動式スチームトラップの断面図。
【符号の説明】
【００１３】
１  本体
２  入口
３  出口
４  弁室
５  蓋部材
６  弁孔
７  弁座部材
８  温度制御機素
１０  壁部材
１３  ダイヤフラム部材
１４  膨張媒体
１５  弁部材
２２  コイルスプリング
【図１】
2009097574.tif 000003
(57)【要約】【課題】重力の力を動力エネルギーに替える。重量物を上から下へ下がる重力を応用する。高いところから重量物を容器に入れ、荷台に乗せて吊り下げて重量を応用する。【解決手段】重量分を吊す。重力を応用するためには重量物を一定の重量分が必要である。そのためには吊す容器、荷台に必要とする重量分を容器に入れ、荷台に乗せると吊り下げ重量分を櫓内に備えた歯車滑車にチェーンを掛けチェーンに重量物を吊すと重力により重量物は下がり始めると重力自然エネルギーが発生する。歯車滑車が回り始めると発電機軸も回るので電力エネルギーに替える。【選択図】図１
2009097493.tif 000002
【特許請求の範囲】
【請求項１】
発明は地球上において他の原動力を受けない重力エネルギー及び重力エネルギー発生は地球上で働く自然エネルギー、重力エネルギー発生を起こす原理、地上まで重量物を吊す・降ろす・下げるに限り重量物の重量分が重力となり、重量分で重力エネルギーを発生し、重力エネルギーを電力エネルギーに替え、重量物を吊す重量でエネルギーが発生する。
【発明の詳細な説明】
【技術分野】
【０００１】本発明は、地球上に重量物下がる万有重力を応用して重量分で重力自然エネルギーを発生する。
【背景技術】
【０００２】現在の水力発電は、水を高い所から流し落とす重力を活用している。ダムを造り貯水し隧道を掘りパイプを使い水を流し落とすために巨額になってしまう。自然環境破壊にも繋がる。重力自然エネルギーを応用して電力エネルギーに替える技術、重量物を容器に入れる。荷台に乗せて吊り下げる降ろすことで重量物は重力の力に変わり重量物を吊す・降ろす・下げる重力を応用して重力自然エネルギーを発生させる。
【発明の開示】
【発明が解決しようとする課題】
【０００３】重力エネルギー発生を起こす、重量物を吊り下げ降ろすことで重力エネルギー発生が起きる。重量物を容器に入れる。荷台に乗せて吊り下げ降ろす重量分が重量重力になり重力エネルギーが発生する。
【課題を解決するための手段】
【０００４】重力エネルギーが発生を起こす。重量物を吊り下げる重量分を容器に入れる。荷台に乗せる・備える、発電機・歯車滑車・タイヤ付スポーク車輪変速機・チェーンを備えた歯車滑車・タイヤ付スポーク車輪変速機にチェーンを掛け、チェーンを吊り下げ双方に吊り下がったチェーンの端に重量物を入れる容器を吊り下げ容器の中に水・排水水を入れることにより、入れた重量分を重力で下の方へ下がる。歯車滑車とタイヤ付スポーク車輪変速機が一体に構作したので重量分重力で歯車滑車が回りだすために、変速機と発電機軸が回ることにより発電し重力エネルギーを発生する。
【発明の効果】
【０００５】重量物は万有引力で地上に下がる重力があるから構造物を造ることができる。重量物を吊り上げる、吊り下げる。設置に原動力が必要ですが、発明は重量物を吊り下げ、降ろすことで重力エネルギーを発生させた。
【発明を実施するための最良の形態】
【０００６】重力エネルギー発生を起こすための櫓・梁・発電機・歯車滑車・タイヤ付スポーク車輪変速機を吊すためのチェーン、吊す容器、装備が必要です。重量物を容器に入れる、荷台に乗せることによって重力エネルギー発生に一定のバランスが必要です。量・重量・面積の定めが必要である。重力エネルギーを活用する用途・場所によって吊り下げる容器・荷台の大きさを替える。
【実施例】
【０００７】重力エネルギー発生を起こすには装備をしなければならない。始めに櫓を組立櫓内に重力エネルギーを起こす装備をする。重量物を吊す容器、タイヤ付スポーク車輪変速機・歯車滑車・チェーン・発電機を揃えて櫓に備える。備えた歯車滑車にチェーンを掛けチェーンを左右に吊り下げる。吊り下げたチェーンの端に重量物を入れる容器を吊り下げ、容器の中に目的の重量分を入れると吊り下げた容器は下がる。歯車滑車・スポーク車輪も共に回り始める。スポーク車輪が変速機タイヤに発電機軸を合わせると発電ができた。歯車滑車、一回転に付き発電機軸が３６回転する。１秒間に７２回転するために発電が確実になった。
【産業上の利用可能性】
【０００８】生活をして行くためには排水がともなう。それを発電に再利用できる。
・高層建物の排水
上階レストラン・マンションの排水
・一般家庭排水
洗面所・浴槽・洗濯の排水
・水道水
水道水を発電利用後低圧水道水を浴槽・トイレ洗浄水・洗濯水に再利用でき、再利用後に更に発電できる。
・都市水害防止に
建物屋上に雨水を溜め溜めた水量分だけ排水が遅れるから、にわか洪水にならない。
容器に入れる重量分に分けて発電に使い排水する。
・高所から荷降ろしする時に発電ができる。
【図面の簡単な説明】
【０００９】
【図１】正面から見た図。吊り容器が左右に上がり・下がりをする立体図
【図２】櫓内に装備を歯車滑車・スポーク車輪変速機と発電機軸の接点が見える側面図
【図３】櫓の上から見た平面図
【符号の説明】
【００１０】  １  重量物を吊す櫓
２  梁、重量物をチェーンで吊す歯車類を備える梁
３  重量物を入れる容器
４  固定歯車滑車
５  発電機軸の回転用ゴムタイヤ付スポーク車輪変速機
６  チェーンを掛ける歯車自在滑車
７  重量物を吊すチェーン
８  発電機
９  発電機軸
１０  ベアリング取り付け箇所
１１  排水用蓋（中蓋）
１２  水取り入れ口
１３  固定歯車・スポーク車輪変速機軸棒
１４  容器の中蓋を開く装置
【図１】
2009097493.tif 000003
【図２】
2009097493.tif 000004
【図３】
2009097493.tif 000005